(57)【要約】【課題】縦長画面から横長画面への変更を可能としつつ、携帯電話の集音性を向上させる。【解決手段】操作面１ａを有し、一端が反り上がるようにして成型された筐体１と、表示面２ａを有し、一端が反り上がるようにして成型された筐体２とを別体として設け、筐体１、２の反り上がりに対応して形成された傾斜面１ｂ、２ｂにマイクロフォン４およびスピーカ６をそれぞれ配置する。【選択図】      図１
2004266473.tif 000002
【特許請求の範囲】
【請求項１】
操作面が設けられ、一端が反り上がるようにして構成された第１の筐体と、
表示面が設けられ、一端が反り上がるようにして構成された第２の筐体と、
前記操作面および前記表示面とが同方向を向いたまま重ね合わせ及び振り出しが可能なように、前記第１の筐体の上段に前記第２の筐体を連結する連結手段と、
前記第１の筐体の反り上がり部分の傾斜面に設けられたマイクロフォンと、
前記第２の筐体の反り上がり部分の傾斜面に設けられたスピーカとを備えることを特徴とする携帯電話。
【請求項２】
操作面が設けられ、一端が盛り上がるようにして構成された第１の筐体と、
表示面が設けられ、一端が反り上がるようにして構成された第２の筐体と、
前記操作面および前記表示面とが同方向を向いたまま重ね合わせ及び振り出しが可能なように、前記第１の筐体の上段に前記第２の筐体を連結する連結手段と、
前記第１の筐体の盛り上がり部分の傾斜面に設けられたマイクロフォンと、
前記第２の筐体の反り上がり部分の傾斜面に設けられたスピーカとを備えることを特徴とする携帯電話。
【請求項３】
操作面が設けられ、一端が反り上がるようにして構成された第１の筐体と、
表示面が設けられ、底面が前記第１の筐体の反り上がり面に対応するように成形された第２の筐体と、
前記操作面および前記表示面とが同方向を向いたまま重ね合わせ及び振り出しが可能なように、前記第１の筐体の上段に前記第２の筐体を連結する連結手段と、
前記第１の筐体の反り上がり部分の傾斜面に設けられたマイクロフォンと、
前記第２の筐体の表示面と同一面に設けられたスピーカとを備えることを特徴とする携帯電話。
【請求項４】
操作面が設けられ、一端が盛り上がるようにして構成された第１の筐体と、
表示面が設けられ、底面が前記第１の筐体の盛り上がり面に対応するように成形された第２の筐体と、
前記操作面および前記表示面とが同方向を向いたまま重ね合わせ及び振り出しが可能なように、前記第１の筐体の上段に前記第２の筐体を連結する連結手段と、
前記第１の筐体の盛り上がり部分の傾斜面に設けられたマイクロフォンと、
前記第２の筐体の表示面と同一面に設けられたスピーカとを備えることを特徴とする携帯電話。
【請求項５】
操作面が設けられ、一端が前記操作面側に突出するようにして構成された第１の筐体と、
表示面が設けられた第２の筐体と、
前記操作面および前記表示面とが同方向を向いたまま重ね合わせ及び振り出しが可能なように、前記第１の筐体の上段に前記第２の筐体を連結する連結手段と、
前記第１の筐体の突出面上に設けられたマイクロフォンと、
前記第２の筐体の表示面と同一面に設けられたスピーカとを備えることを特徴とする携帯電話。
【請求項６】
前記第２の筐体の振り出し角に基づいて、前記表示面に表示される文字のレイアウトを変更するレイアウト変更手段をさらに備えることを特徴とする請求項１〜５のいずれか１項記載の携帯電話。
【発明の詳細な説明】
【０００１】
【発明の属する技術分野】
本発明は携帯電話に関し、特に、振り出し式携帯電話に適用して好適なものである。
【０００２】
【従来の技術】
従来の携帯電話では、例えば、特許文献１に開示されているように、操作部と表示部とを別体とし、操作部と表示部とが向かい合わせになるようにして携帯電話を折り畳むことにより、携帯電話の誤動作を防止しつつ、携帯電話の携帯性を向上させる方法がある。
【０００３】
図７（ａ）は、従来の携帯電話の折り畳んだ状態を示す斜視図、図７（ｂ）は、図７（ａ）の携帯電話の開いた状態を示す斜視図である。
図７において、折り畳み方式携帯電話では、操作面５１ａを有する筐体５１と、表示面５２ａを有する筐体５２とが別体として設けられている。そして、筐体５１と筐体５２とはヒンジ部５７を介して端部が連結され、操作面５１ａと表示面５２ａとが向かい合わせになるようにして、筐体５１と筐体５２とを折り畳むことができるように構成されている。
【０００４】
また、筐体５１の操作面５１ａには、電話番号や文字などを入力するための操作ボタン５３が設けられるとともに、操作面５１ａの下端には、マイクロフォン５４が内蔵され、筐体５１の上端にはポップアップ式アンテナ５８が設けられている。また、筐体５２の表示面５２ａには、液晶ディスプレイなどの表示部５５が設けられるとともに、表示面５２ａの上端には、スピーカ５６が内蔵されている。
【０００５】
ここで、通話時に携帯電話を片手で保持した時に、マイクロフォン５４が口元に配置されるとともに、スピーカ５６が耳元に配置されるようにするため、筐体５１、５２は縦長の形状になるように構成されている。このため、筐体５２の縦長形状に対応して、表示部５５も縦長とすることにより、表示部５５の面積が大きくなるようにされている。
【０００６】
そして、メールや電話の待ち受け時には、図７（ａ）に示すように、筐体５１と筐体５２とを折り畳むことにより、携帯電話を使用しない時の携帯性を向上させることができる。
そして、メールや電話の発信時または着信時には、図７（ｂ）に示すように、ヒンジ部５７を支点として筐体５１、５２を開くことにより、操作面５１ａと表示面５２ａとを露出させる。そして、表示部５５を適宜参照しながら、操作ボタン５３を操作することにより、メールや電話を発信したり、メールや電話に応答したりすることができる。
【０００７】
【特許文献１】
特開２００１−１５６８９３号公報
【０００８】
【発明が解決しようとする課題】
しかしながら、従来の携帯電話では、操作面５１ａと表示面５２ａとが向かい合わせになるような方向に筐体５１と筐体５２とが折り畳まれるため、筐体５１と筐体５２とを開いた時に、表示部５５が常に縦向きとなる。
このため、従来の携帯電話では、文章が表示部５５に表示される時に、文章の改行が多くなり、文章が読み難くなるという問題があった。
【０００９】
また、従来の携帯電話では、筐体５１と筐体５２とを折り畳んだ時に、操作面５１ａと表示面５２ａとが重なり易くするため、操作面５１ａおよび表示面５２ａはフラット化される。
このため、従来の携帯電話では、マイクロフォン５４およびスピーカ５６が口元および耳元にそれぞれフィットし難くなり、集音性や防音性などが劣化して、相手の声が聞き取り難くなるという問題があった。
【００１０】
そこで、本発明の目的は、縦長画面から横長画面への変更を可能としつつ、集音性を向上させることが可能な携帯電話を提供することである。
【００１１】
【課題を解決するための手段】
上述した課題を解決するために、本発明の一態様に係る携帯電話によれば、操作面が設けられ、一端が反り上がるようにして構成された第１の筐体と、表示面が設けられ、一端が反り上がるようにして構成された第２の筐体と、前記操作面および前記表示面とが同方向を向いたまま重ね合わせ及び振り出しが可能なように、前記第１の筐体の上段に前記第２の筐体を連結する連結手段と、前記第１の筐体の反り上がり部分の傾斜面に設けられたマイクロフォンと、前記第２の筐体の反り上がり部分の傾斜面に設けられたスピーカとを備えることを特徴とする。
【００１２】
これにより、第１の筐体および第２の筐体の厚みを変化させることなく、マイクロフォンおよびスピーカを口元および耳元にそれぞれフィットさせ易くすることが可能となるとともに、操作面および表示面を手前に向けたまま、表示面を回転させることが可能となる。
このため、携帯電話の携帯性を損なうことなく、通話時の集音声および防音性を向上させることが可能となるとともに、第２の筐体を横方向に振り出すだけで、縦長画面から横長画面へ変更することが可能となり、表示面に表示された文章を読み易くすることができる。
【００１３】
また、本発明の一態様に係る携帯電話によれば、操作面が設けられ、一端が盛り上がるようにして構成された第１の筐体と、表示面が設けられ、一端が反り上がるようにして構成された第２の筐体と、前記操作面および前記表示面とが同方向を向いたまま重ね合わせ及び振り出しが可能なように、前記第１の筐体の上段に前記第２の筐体を連結する連結手段と、前記第１の筐体の盛り上がり部分の傾斜面に設けられたマイクロフォンと、前記第２の筐体の反り上がり部分の傾斜面に設けられたスピーカとを備えることを特徴とする。
【００１４】
これにより、第１の筐体と第２の筐体との重ね合わせを可能としつつ、マイクロフォンおよびスピーカを口元および耳元にそれぞれフィットさせ易くすることが可能となるとともに、操作面および表示面を手前に向けたまま、表示面を回転させることが可能となる。
このため、携帯電話の携帯性を損なうことなく、通話時の集音声および防音性を向上させることが可能となるとともに、第２の筐体を横方向に振り出すだけで、縦長画面から横長画面へ変更することが可能となり、表示面に表示された文章を読み易くすることができる。
【００１５】
また、本発明の一態様に係る携帯電話によれば、操作面が設けられ、一端が反り上がるようにして構成された第１の筐体と、表示面が設けられ、底面が前記第１の筐体の反り上がり面に対応するように成形された第２の筐体と、前記操作面および前記表示面とが同方向を向いたまま重ね合わせ及び振り出しが可能なように、前記第１の筐体の上段に前記第２の筐体を連結する連結手段と、前記第１の筐体の反り上がり部分の傾斜面に設けられたマイクロフォンと、前記第２の筐体の表示面と同一面に設けられたスピーカとを備えることを特徴とする。
【００１６】
これにより、第１の筐体および第２の筐体の厚みを増加させることなく、第１の筐体と第２の筐体との重ね合わせ時に表示面をフラットに保つことが可能となるとともに、通話時にマイクロフォンを口元にフィットさせ易くすることが可能となり、携帯電話の携帯性を向上させつつ、通話時の集音声を向上させることが可能となる。
【００１７】
また、操作面および表示面を手前に向けたまま、表示面を回転させることが可能となり、第２の筐体を横方向に振り出すだけで、縦長画面から横長画面へ変更することが可能となることから、操作性を劣化させることなく、表示面に表示された文章を読み易くすることができる。
また、本発明の一態様に係る携帯電話によれば、操作面が設けられ、一端が盛り上がるようにして構成された第１の筐体と、表示面が設けられ、底面が前記第１の筐体の盛り上がり面に対応するように成形された第２の筐体と、前記操作面および前記表示面とが同方向を向いたまま重ね合わせ及び振り出しが可能なように、前記第１の筐体の上段に前記第２の筐体を連結する連結手段と、前記第１の筐体の盛り上がり部分の傾斜面に設けられたマイクロフォンと、前記第２の筐体の表示面と同一面に設けられたスピーカとを備えることを特徴とする。
【００１８】
これにより、第１の筐体と第２の筐体との重ね合わせ時に表示面をフラットに保つことが可能となるとともに、通話時にマイクロフォンを口元にフィットさせ易くすることが可能となり、携帯電話の携帯性を損なうことなく、通話時の集音声を向上させることが可能となる。
また、操作面および表示面を手前に向けたまま、表示面を回転させることが可能となり、第２の筐体を横方向に振り出すだけで、縦長画面から横長画面へ変更することが可能となることから、操作性を劣化させることなく、表示面に表示された文章を読み易くすることができる。
【００１９】
また、本発明の一態様に係る携帯電話によれば、操作面が設けられ、一端が前記操作面側に突出するようにして構成された第１の筐体と、表示面が設けられた第２の筐体と、前記操作面および前記表示面とが同方向を向いたまま重ね合わせ及び振り出しが可能なように、前記第１の筐体の上段に前記第２の筐体を連結する連結手段と、前記第１の筐体の突出面上に設けられたマイクロフォンと、前記第２の筐体の表示面と同一面に設けられたスピーカとを備えることを特徴とする。
【００２０】
これにより、第１の筐体と第２の筐体との重ね合わせを可能としつつ、マイクロフォンを口元にフィットさせ易くすることが可能となるとともに、操作面および表示面を手前に向けたまま、表示面を回転させることが可能となる。
このため、携帯電話の携帯性を損なうことなく、通話時の集音声を向上させることが可能となるとともに、第２の筐体を横方向に振り出すだけで、縦長画面から横長画面へ変更することが可能となり、表示面に表示された文章を読み易くすることができる。
【００２１】
また、本発明の一態様に係る携帯電話によれば、前記第２の筐体の振り出し角に基づいて、前記表示面に表示される文字のレイアウトを変更するレイアウト変更手段をさらに備えることを特徴とする。
これにより、横長画面に対応するように、縦長画面に対応して配列された文章を自動的に配列し直すことが可能となり、第２の筐体を横方向に振り出すだけで、表示面に表示された文章のレイアウトを適正化することが可能となることから、携帯電話の操作性を損なうことなく、表示面に表示された文章を読み易くすることができる。
【００２２】
【発明の実施の形態】
以下、本発明の実施形態に係る携帯電話について図面を参照しながら説明する。
図１（ａ）は、本発明の第１実施形態に係る携帯電話の重ね合わせた状態を示す斜視図、図１（ｂ）は、図１（ａ）の携帯電話の振り出した状態を示す斜視図である。
【００２３】
図１において、操作面１ａを有し、一端が反り上がるようにして成型された筐体１と、表示面２ａを有し、一端が反り上がるようにして成型された筐体２とが別体として設けられている。そして、筐体１と筐体２とは、連結部７を介して他端が互いに連結され、操作面１ａおよび表示面２ａとが同方向を向いたまま、筐体１の上段に筐体２を重ね合わせたり、筐体１から筐体２を振り出したりできるように構成されている。
【００２４】
また、筐体１の操作面１ａには、電話番号や文字などを入力するための操作ボタン３が設けられるとともに、筐体１の反り上がりに対応して形成された傾斜面１ｂには、マイクロフォン４が内蔵されている。また、筐体２の表示面２ａには、液晶ディスプレイなどの表示部５が設けられるとともに、筐体２の反り上がりに対応して形成された傾斜面２ｂには、スピーカ６が内蔵されている。
【００２５】
ここで、通話時に携帯電話を片手で保持した時に、マイクロフォン４を口元に配置するとともに、スピーカ６を耳元に配置できるようにするため、筐体１、２は縦長の形状になるように構成し、筐体２の表示面２ａに設けられる表示部５も縦長となるように構成することができる。
そして、メールや電話の待ち受け時には、図１（ａ）に示すように、筐体１と筐体２とを重ね合わせた状態とすることにより、携帯電話を使用しない時の携帯性を向上させることが可能となるとともに、表示部５が露出したままの状態にして、表示部５を待ち受け画面として使用することが可能となる。
【００２６】
さらに、電話の発信時や応答時には、図１（ｂ）に示すように、連結部７を回転軸として筐体２を横方向に振り出し、操作面１ａを露出させる。そして、筐体２の振り出し角θを調整し、マイクロフォン４が口元に配置されるとともに、スピーカ６が耳元に配置された位置で、筐体２の振り出し角θを固定し、電話の発信や応答を行う。
【００２７】
ここで、筐体１、２の端部はそり上がるように成型し、筐体１、２の反り上がりに対応して形成された傾斜面１ｂ、２ｂにマイクロフォン４およびスピーカ６をそれぞれ配置することにより、マイクロフォン４およびスピーカ６を口元および耳元にそれぞれ向け易くすることが可能となり、携帯電話の携帯性を損なうことなく、通話時の集音性を向上させることを可能として、相手の声を聞き取り易くすることが可能となる。
【００２８】
また、筐体１、２の反り上がりに対応して形成された傾斜面１ｂ、２ｂにマイクロフォン４およびスピーカ６をそれぞれ配置することにより、自分の声や相手の声を筐体１、２の反り上がり部で遮音することを可能として、自分の声や相手の声が外部に漏れ出し難くすることができ、通話時の周囲への迷惑を減らすことができる。
【００２９】
また、操作面１ａと表示面２ａとが同方向を向いたまま、筐体２の振り出し角θを調整可能とすることにより、耳と口との間の距離の個人差に対応して、マイクロフォン４とスピーカ６との間の距離を調整することができ、相手の声を聞き取り易くすることが可能となる。
さらに、メールなどの発信時や着信時には、筐体２を９０度だけ振り出した状態で、筐体２の振り出し角θを固定する。そして、操作ボタン３を適宜操作しながら、表示部５に文章を表示させたり、表示部５に表示された文章を読んだりすることができる。
【００３０】
これにより、筐体２を横方向に振り出すだけで、表示部５を縦長画面から横長画面へ変更することが可能となり、操作性を損なうことなく、表示部５に表示された文章を読み易くすることができる。
なお、連結部７には、例えば、０度、９０度および１８０度などの所定の振り出し角で筐体２が固定され易くするためのラチェット機構などを設けるようにしてもよい。また、筐体２の振り出し角θに応じて、表示部５に表示される文章のレイアウトを変更するようにしてもよい。
【００３１】
図２は、筐体２を振り出した時の表示部５に表示される文字のレイアウト変更方法を示す斜視図であり、図２（ａ）は筐体１、２を重ね合わせた場合、図２（ｂ）は筐体２を９０度だけ振り出した場合、図２（ｃ）は筐体２を１８０度だけ振り出した場合を示す。
図２（ａ）において、例えば、筐体１と筐体２とを重ね合わせた状態では、表示部５の縦長画面に対応して、文の途中で改行されているものとする。
【００３２】
そして、ユーザが筐体２を９０度だけ振り出すと、表示部５は横長画面に変化する。そして、携帯電話は、筐体２が９０度だけ振り出されると、表示部５の横長画面に対応して、文の改行数を減少させて表示部５に文を表示する。
さらに、ユーザが筐体２を１８０度だけ振り出すと、表示部５は再び縦長画面に変化する。そして、携帯電話は、筐体２が１８０度だけ振り出されると、文が縦長画面に収まるように、文改行数を増加させて表示部５に文を表示する。
【００３３】
これにより、筐体２を横方向に振り出すだけで、表示部５に表示された文章のレイアウトを適正化することができ、携帯電話の操作性を劣化させることなく、表示部５に表示された文章を読み易くすることができる。
図３（ａ）は、本発明の第２実施形態に係る携帯電話の重ね合わせた状態を示す斜視図、図３（ｂ）は、図３（ａ）の携帯電話の振り出した状態を示す斜視図である。
【００３４】
図３において、操作面１１ａを有し、一端が盛り上がるようにして成型された筐体１１と、表示面１２ａを有し、一端が反り上がるようにして成型された筐体１２とが別体として設けられている。そして、筐体１１と筐体１２とは、連結部１７を介して他端が互いに連結され、操作面１１ａおよび表示面１２ａとが同方向を向いたまま、筐体１１の上段に筐体１２を重ね合わせたり、筐体１１から筐体１２を振り出したりできるように構成されている。
【００３５】
また、筐体１１の操作面１１ａには、電話番号や文字などを入力するための操作ボタン１３が設けられるとともに、筐体１１の盛り上がりに対応して形成された傾斜面１１ｂには、マイクロフォン１４が内蔵されている。また、筐体１２の表示面１２ａには、液晶ディスプレイなどの表示部１５が設けられるとともに、筐体１２の反り上がりに対応して形成された傾斜面１２ｂには、スピーカ１６が内蔵されている。
【００３６】
そして、メールや電話の待ち受け時には、図２（ａ）に示すように、筐体１１と筐体１２とを重ね合わせた状態にすることにより、携帯電話を使用しない時の携帯性を向上させることが可能となるとともに、表示部１５が露出したままの状態にして、表示部１５を待ち受け画面として使用することが可能となる。
さらに、電話の発信時や応答時には、図２（ｂ）に示すように、連結部１７を回転軸として筐体１２を横方向に振り出し、操作面１１ａを露出させる。そして、筐体１２の振り出し角を調整し、マイクロフォン１４が口元に配置されるとともに、スピーカ１６が耳元に配置された位置で、筐体１２の振り出し角を固定し、電話の発信や応答を行う。
【００３７】
ここで、筐体１１の端部を反り上がるように成型するとともに、筐体１２の端部を盛り上がるように成型し、筐体１１の盛り上がり及び筐体１２の反り上がりそれぞれ対応して形成された傾斜面１１ｂ、１２ｂにマイクロフォン１４およびスピーカ１６をそれぞれ配置することにより、マイクロフォン１４およびスピーカ１６を口元および耳元にそれぞれ向け易くすることが可能となり、通話時の集音性を向上させることを可能として、相手の声を聞き取り易くすることが可能となる。
【００３８】
また、筐体１１の盛り上がり及び筐体１２の反り上がりそれぞれ対応して形成された傾斜面１１ｂ、１２ｂにマイクロフォン１４およびスピーカ１６をそれぞれ配置することにより、筐体１１の盛り上がり部及び筐体１２の反り上がり部で自分の声や相手の声を遮音することを可能として、自分の声や相手の声が外部に漏れ出し難くすることができ、通話時の周囲への迷惑を減らすことができる。
【００３９】
また、操作面１１ａと表示面１２ａとが同方向を向いたまま、筐体１２の振り出し角を調整可能とすることにより、耳と口との間の距離の個人差に対応して、マイクロフォン１４とスピーカ１６との間の距離を調整することができ、相手の声を聞き取り易くすることが可能となる。
さらに、メールなどの発信時や着信時には、筐体１２を９０度だけ振り出した状態で、筐体１２の振り出し角を固定する。そして、操作ボタン１３を適宜操作しながら、表示部１５に文章を表示させたり、表示部１５に表示された文章を読んだりすることができる。
【００４０】
これにより、筐体１２を横方向に振り出すだけで、表示部１５を縦長画面から横長画面へ変更することが可能となり、操作性を損なうことなく、表示部１５に表示された文章を読み易くすることができる。
図４（ａ）は、本発明の第３実施形態に係る携帯電話の重ね合わせた状態を示す斜視図、図４（ｂ）は、図４（ａ）の携帯電話の振り出した状態を示す斜視図である。
【００４１】
図４において、操作面２１ａを有し、一端が反り上がるようにして成型された筐体２１と、フラットな表示面２２ａを有し、底面が筐体２１の反り上がりに対応して成型された筐体２２とが別体として設けられている。そして、筐体２１と筐体２２とは、連結部２７を介して他端が互いに連結され、操作面２１ａおよび表示面２２ａとが同方向を向いたまま、筐体２１の上段に筐体２２を重ね合わせたり、筐体２１から筐体２２を振り出したりできるように構成されている。
【００４２】
また、筐体２１の操作面２１ａには、電話番号や文字などを入力するための操作ボタン２３が設けられるとともに、筐体２１の反り上がりに対応して形成された傾斜面２１ｂには、マイクロフォン２４が内蔵されている。また、筐体２２の表示面２２ａには、液晶ディスプレイなどの表示部２５が設けられるとともに、表示面２２ａの上端には、スピーカ２６が内蔵されている。
【００４３】
そして、メールや電話の待ち受け時には、図４（ａ）に示すように、筐体２１と筐体２２とを重ね合わせた状態とすることにより、携帯電話を使用しない時の携帯性を向上させることが可能となるとともに、表示部２５が露出したままの状態にして、表示部２５を待ち受け画面として使用することが可能となる。
さらに、電話の発信時や応答時には、図４（ｂ）に示すように、連結部２７を回転軸として筐体２２を横方向に振り出し、操作面２１ａを露出させる。そして、筐体２２の振り出し角を調整し、マイクロフォン２４が口元に配置されるとともに、スピーカ２６が耳元に配置された位置で、筐体２２の振り出し角を固定し、電話の発信や応答を行う。
【００４４】
ここで、筐体２１の端部がそり上がるように成型するとともに、筐体２１の反り上がりに対応して形成された傾斜面２１ｂにマイクロフォン２４を配置することにより、携帯電話の厚みを増加させることなく、マイクロフォン２４を口元に向け易くすることが可能となり、携帯電話の携帯性の向上を可能としつつ、通話時の集音性を向上させることを可能として、相手の声を聞き取り易くすることが可能となる。
【００４５】
また、表示面２２ａをフラットにしたまま、筐体２１の底面の形状を筐体２１の反り上がりに対応させることにより、重ね合わせ時の携帯電話の段差を減らすことが可能となり、携帯電話をバックやポケットなどから取り出す際に、携帯電話がバックやポケットなどに引っ掛かることを防止して、携帯電話を取り出し易くすることが可能となる。
【００４６】
また、筐体２１の反り上がりに対応して形成された傾斜面２１ｂにマイクロフォン２４を配置することにより、自分の声を筐体２１の反り上がり部で遮音することを可能として、自分の声が外部に漏れ出し難くすることができ、通話時の防音性を向上させることを可能として、通話時の周囲への迷惑を減らすことができる。
【００４７】
また、操作面２１ａと表示面２２ａとが同方向を向いたまま、筐体２２の振り出し角を調整可能とすることにより、耳と口との間の距離の個人差に対応して、マイクロフォン２４とスピーカ２６との間の距離を調整することができ、相手の声を聞き取り易くすることが可能となる。
さらに、メールなどの発信時や着信時には、筐体２２を９０度だけ振り出した状態で、筐体２２の振り出し角を固定する。そして、操作ボタン２３を適宜操作しながら、表示部２５に文章を表示させたり、表示部２５に表示された文章を読んだりすることができる。
【００４８】
これにより、筐体２２を横方向に振り出すだけで、表示部２５を縦長画面から横長画面へ変更することが可能となり、操作性を損なうことなく、表示部２５に表示された文章を読み易くすることができる。
図５（ａ）は、本発明の第４実施形態に係る携帯電話の重ね合わせた状態を示す斜視図、図５（ｂ）は、図５（ａ）の携帯電話の振り出した状態を示す斜視図である。
【００４９】
図５において、操作面３１ａを有し、一端が盛り上がるようにして成型された筐体３１と、フラットな表示面３２ａを有し、底面が筐体３１の盛り上がりに対応して成型された筐体３２とが別体として設けられている。そして、筐体３１と筐体３２とは、連結部３７を介して他端が互いに連結され、操作面３１ａおよび表示面３２ａとが同方向を向いたまま、筐体３１の上段に筐体３２を重ね合わせたり、筐体３１から筐体３２を振り出したりできるように構成されている。
【００５０】
また、筐体３１の操作面３１ａには、電話番号や文字などを入力するための操作ボタン３３が設けられるとともに、筐体３１の盛り上がりに対応して形成された傾斜面３１ｂには、マイクロフォン３４が内蔵されている。また、筐体３２の表示面３２ａには、液晶ディスプレイなどの表示部３５が設けられるとともに、表示面３２ａの上端には、スピーカ３６が内蔵されている。
【００５１】
そして、メールや電話の待ち受け時には、図５（ａ）に示すように、筐体３１と筐体３２とを重ね合わせた状態とすることにより、携帯電話を使用しない時の携帯性を向上させることが可能となるとともに、表示部３５が露出したままの状態にして、表示部３５を待ち受け画面として使用することが可能となる。
さらに、電話の発信時や応答時には、図５（ｂ）に示すように、連結部３７を回転軸として筐体３２を横方向に振り出し、操作面３１ａを露出させる。そして、筐体３２の振り出し角を調整し、マイクロフォン３４が口元に配置されるとともに、スピーカ３６が耳元に配置された位置で、筐体３２の振り出し角を固定し、電話の発信や応答を行う。
【００５２】
ここで、筐体３１の端部が盛り上がるように成型するとともに、表示面３２ａをフラットにしたまま、筐体３１の底面の形状を筐体３１の盛り上がりに対応させることにより、携帯電話の厚みを増加させることなく、マイクロフォン３４を口元に向け易くすることが可能となり、携帯電話の携帯性の向上を可能としつつ、通話時の集音性を向上させることを可能として、相手の声を聞き取り易くすることが可能となる。
【００５３】
また、筐体３１の盛り上がりに対応して形成された傾斜面３１ｂにマイクロフォン３４を配置することにより、自分の声を筐体３１の盛り上がり部で遮音することを可能として、自分の声が外部に漏れ出し難くすることができ、通話時の防音性を向上させることを可能として、通話時の周囲への迷惑を減らすことができる。
【００５４】
また、操作面３１ａと表示面３２ａとが同方向を向いたまま、筐体３２の振り出し角を調整可能とすることにより、耳と口との間の距離の個人差に対応して、マイクロフォン３４とスピーカ３６との間の距離を調整することができ、相手の声を聞き取り易くすることが可能となる。
さらに、メールなどの発信時や着信時には、筐体３２を９０度だけ振り出した状態で、筐体３２の振り出し角を固定する。そして、操作ボタン３３を適宜操作しながら、表示部３５に文章を表示させたり、表示部３５に表示された文章を読んだりすることができる。
【００５５】
これにより、筐体３２を横方向に振り出すだけで、表示部３５を縦長画面から横長画面へ変更することが可能となり、操作性を損なうことなく、表示部３５に表示された文章を読み易くすることができる。
図６（ａ）は、本発明の第５実施形態に係る携帯電話の重ね合わせた状態を示す斜視図、図６（ｂ）は、図６（ａ）の携帯電話の振り出した状態を示す斜視図である。
【００５６】
図６において、フラットな操作面４１ａを有し、操作面４１ａの下端に突出部４１ｂが設けられた筐体４１と、フラットな表示面４２ａを有し、突出部４１ｂの分だけ長さの短い筐体４２とが別体として設けられている。そして、筐体４１と筐体４２とは、連結部４７を介して互いに連結され、操作面４１ａおよび表示面４２ａとが同方向を向いたまま、筐体４１の上段に筐体４２を重ね合わせたり、筐体４１から筐体４２を振り出したりできるように構成されている。
【００５７】
なお、突出部４１ｂの高さは、筐体４２の厚みと一致させることが好ましく、これにより、重ね合わせ時の携帯電話の段差を減らすことが可能となることから、携帯電話をバックやポケットなどから取り出す際に、携帯電話がバックやポケットなどに引っ掛かることを防止することが可能となり、携帯電話を取り出し易くすることが可能となる。
【００５８】
また、筐体４１の操作面４１ａには、電話番号や文字などを入力するための操作ボタン４３が設けられるとともに、筐体４１に設けられた突出部４１ｂには、マイクロフォン４４が内蔵されている。また、筐体４２の表示面４２ａには、液晶ディスプレイなどの表示部４５が設けられるとともに、表示面４２ａの上端には、スピーカ４６が内蔵されている。
【００５９】
そして、メールや電話の待ち受け時には、図６（ａ）に示すように、筐体４１と筐体４２とを重ね合わせた状態とすることにより、携帯電話を使用しない時の携帯性を向上させることが可能となるとともに、表示部４５が露出したままの状態にして、表示部４５を待ち受け画面として使用することが可能となる。
さらに、電話の発信時や応答時には、図６（ｂ）に示すように、連結部４７を回転軸として筐体４２を横方向に振り出し、操作面４１ａを露出させる。そして、筐体４２の振り出し角を調整し、マイクロフォン４４が口元に配置されるとともに、スピーカ４６が耳元に配置された位置で、筐体４２の振り出し角を固定し、電話の発信や応答を行う。
【００６０】
ここで、筐体４１の端部に突出部４１ｂを設け、突出部４１ｂにマイクロフォン４４を配置することにより、マイクロフォン４４を口元に向け易くすることが可能となり、携帯電話の携帯性を損なうことなく、通話時の集音性を向上させることを可能として、相手の声を聞き取り易くすることが可能となる。
また、操作面４１ａと表示面４２ａとが同方向を向いたまま、筐体４２の振り出し角を調整可能とすることにより、耳と口との間の距離の個人差に対応して、マイクロフォン４４とスピーカ４６との間の距離を調整することができ、相手の声を聞き取り易くすることが可能となる。
【００６１】
さらに、メールなどの発信時や着信時には、筐体４２を９０度だけ振り出した状態で、筐体４２の振り出し角を固定する。そして、操作ボタン４３を適宜操作しながら、表示部４５に文章を表示させたり、表示部４５に表示された文章を読んだりすることができる。
これにより、筐体４２を横方向に振り出すだけで、表示部４５を縦長画面から横長画面へ変更することが可能となり、操作性を損なうことなく、表示部４５に表示された文章を読み易くすることができる。
【図面の簡単な説明】
【図１】第１実施形態に係る携帯電話の概略構成を示す斜視図。
【図２】図１の携帯電話の表示方法を示す斜視図。
【図３】第２実施形態に係る携帯電話の概略構成を示す斜視図。
【図４】第３実施形態に係る携帯電話の概略構成を示す斜視図。
【図５】第４実施形態に係る携帯電話の概略構成を示す斜視図。
【図６】第５実施形態に係る携帯電話の概略構成を示す斜視図。
【図７】従来の携帯電話の概略構成を示す斜視図。
【符号の説明】
１、２、１１、１２、２１、２２、３１、３２、４１、４２  筐体、１ａ、１１ａ、２１ａ、３１ａ、４１ａ  操作面、１ｂ、２ｂ、１１ｂ、１２ｂ、２１ｂ、３１ｂ  傾斜面、２ａ、１２ａ、２２ａ、３２ａ、４２ａ  表示面、３、１３、２３、３３、４３  操作ボタン、４、１４、２４、３４、４４  マイクロフォン、５、１５、２５、３５、４５  表示部、６、１６、２６、３６、４６  スピーカ、７、１７、２７、３７、４７  連結部、４１ｂ  突出部
【図１】
2004266473.tif 000003
【図２】
2004266473.tif 000004
【図３】
2004266473.tif 000005
【図４】
2004266473.tif 000006
【図５】
2004266473.tif 000007
【図６】
2004266473.tif 000008
【図７】
2004266473.tif 000009